(57)【要約】【課題】  ドア自身の開閉の円滑さに悪影響を与えることなく、指を挟んだ際の安全性を確保できるドアを提供する。【解決手段】  ドア本体１の両側面の少なくとも一方の側面に切り欠き８を形成し、当該切り欠きに中空状の弾性体１０を付設した開き戸タイプのドア。この開き戸の閉止時に壁２に接触するよう指１１があると、この壁とドア本体に指が挟まれるが、前記弾性体が変形して衝撃を吸収して指の損傷を回避する。特に保育園や幼稚園等の園児の保護に有効である。【選択図】  図３
2007063776.tif 000002
【特許請求の範囲】
【請求項１】
長方形面を有する本体の両側面の少なくとも一方の側面に切り欠きを形成し、当該切り欠きに中空状の弾性体を付設したことを特徴とする指挟み安全機能を有する開き戸タイプのドア装置。
【請求項２】
長方形面を有する本体の両側面の少なくとも一方の側面に、中空状の弾性体を付設したことを特徴とする指挟み安全機能を有する引き戸タイプのドア装置。
【請求項３】
平行に配置された１対のレール上をそれぞれ走行する１対の引き戸のうちの一方の所定高さの個所にフックを付設し、当該フックが係合可能なフック孔を前記他方の引き戸の両端に形成したことを特徴とする指挟み防止機能を有するドア装置。
【請求項４】
１対の扉を観音開き可能に基部に連結したドア装置において、観音開きにした前記１対の各扉の上面の孔のそれぞれに、両端が下向きに折り曲げられた形状を有する連結杆の前記折り曲げ部を係合し、前記連結杆を両扉間に架け渡したことを特徴とする指挟み防止機能を有するドア装置。
【請求項５】
横向き突起を形成した門柱、及び基端を中心に回転でき、回転側上縁に先端側に前記突起に係止できる補助キーを回転自在に設置した門扉とを含んでなることを特徴とする門扉の開放防止装置。
【発明の詳細な説明】
【技術分野】
【０００１】
本発明は、各種戸や門扉等の指挟み防止又は安全機能を有するドア装置に関し、より詳細には一般住宅やオフィス、あるいは特に保育園や幼稚園又は介護施設などの門扉、玄関ドア、室内の戸などに適用できる指挟み防止又は安全機能を有するドア装置に関する。
【背景技術】
【０００２】
人間が居住しあるいは一時的に生活し又は滞在する建築物、例えば一般住居、デパート、病院（介護施設）、保育園、幼稚園などには多くのドアや扉が設置されている。これらのドア等は開き戸タイプの場合も引き戸タイプの場合も、閉止時には、その先端が壁や柱などの枠に実質的に隙間なく接触し、開放時には前記先端が回転又は横方向移動により前記枠から離れてドア等と枠の間に隙間が形成される。又開き戸タイプの場合、基端部のヒンジを中心にドアが回転するため当該基端部にも隙間が生じる。
この隙間に指を位置させたまま、前記ドア等を閉止すると、指がドアの先端と枠の間に挟まれて怪我をすることがある。特に骨が未発達な幼児や骨の脆化が進行している老人の場合は深刻な怪我に至ることが多い。成人の場合でもドア等が鉄扉であると骨折することがある。
【特許文献１】実開昭６２−９９７８６号公報
【発明の開示】
【発明が解決しようとする課題】
【０００３】
これらの欠点を解消するための提案は種々なされているが、十分満足できる解決法は実質的に皆無である。例えば特許文献１には、開き戸の柱と開き戸本体の間に自在に伸縮する隙間カバーを設けて指挟み時の安全を意図している。しかしながらこの方法では、開き戸を設置した後に、隙間カバーを設ける工程が必要になり、手間が掛かるとともに、開き戸の閉止時に当該開き戸と柱の間に前記隙間カバーが存在するため、当該隙間カバーが開き戸の十分な閉止を阻害することになる。
この片開き戸タイプのドアのみでなく、引き戸タイプのドアや観音開きタイプのドアの場合にも、指挟み時の安全機能又は指挟み防止機能が必要なことがある。
【０００４】
本発明は、上記に鑑みて提案されたものであって、片開き戸タイプ、開き戸タイプ及び観音開きタイプの開き戸のそれぞれについて指挟み安全又は防止機能を有する装置を提供することを目的とする。
【課題を解決するための手段】
【０００５】
本発明は、第１に長方形面を有する本体の両側面の少なくとも一方の側面に切り欠きを形成し、当該切り欠きに中空状の弾性体を付設したことを特徴とする指挟み安全機能を有するドア装置、又は長方形面を有する本体の両側面の少なくとも一方の側面に、中空状の弾性体を付設したことを特徴とする指挟み安全機能を有する引き戸タイプのドア装置（以下第１発明という）、第２に平行に配置された１対のレール上をそれぞれ走行する１対の引き戸のうちの一方の所定高さの個所にフックを付設し、当該フックが係合可能なフック孔を前記他方の引き戸の両端に形成したことを特徴とする指挟み防止機能を有するドア装置（以下第２発明という）、第３に１対の扉を観音開き可能に基部に連結したドア装置において、観音開きにした前記１対の各扉の上面のそれぞれに、両端が下向きに折り曲げられた形状を有する連結杆の前記折り曲げ部を係合し、前記連結杆を両扉間に架け渡したことを特徴とする指挟み防止機能を有するドア装置（以下第３発明という）、及び第４に横向き突起を形成した門柱、及び基端を中心に回転でき、回転側上縁に先端側に前記突起に係止できる補助キーを回転自在に設置した門扉とを含んでなることを特徴とする門扉の開放防止装置（以下第４発明という）である。
【０００６】
以下本発明を詳細に説明する。
第１発明は、開き戸タイプにも引き戸タイプにも適用でき、園児等がドアに指を挟まれた際の安全確保を意図するものである。
開き戸タイプの場合は、長方形面を有するドア本体の少なくとも一方、好ましく両側面を切り欠いて、その切り欠き部に軟質の部材を付設する。開き戸タイプの場合は、ドア本体の側面側にノブやフック、あるいはヒンジが存在するため、ドア本体の側面全長に亘って切り欠きを形成することは困難であるため、切り欠きが必要になりその切り欠きに弾性体を付設するが、引き戸の場合には切り欠きを形成することなく全長に亘って弾性体を付設することが可能である。
【０００７】
使用する弾性体は中空状として容易に変形可能にしておく。軟質で中実状の弾性体を使用しても当該弾性体が変形するため、指挟み時の衝撃を緩和できるが、特に幼児や老人への衝撃緩和は不十分であるため、弾性体は中空状として容易な変形を可能にして幼児や老人を十分に保護できるようにする。
【０００８】
第２発明は、指挟み防止機能を有し、平行に配置された１対のレール上をそれぞれ走行する１対の引き戸を有するドア装置を対象とする。第２発明のドア装置は、特に保育園や幼稚園の園児室や小学校低学年の教室、及び病院や介護施設の病室に好ましく適用できる。
この引き戸タイプのドア装置では、一方の引き戸の所定高さの個所にフックを付設する。他方の引き戸の両側縁部には１対のフック孔を前記フックが係合できるように形成する。この高さは保護されるべき園児や児童の手の届かない高さとすることが望ましい。
【０００９】
１対のフック孔を形成する引き戸は通常は走行せず、フックを有する引き戸が主として走行する。走行しない側の引き戸は両引き戸が設置される開口部（戸口）の内側端部に接して位置し、他方の引き戸は、当該引き戸のフックを前記１対のフック孔のいずれかに係合しロックされることにより両引き戸の位置関係が固定される。両引き戸が側縁部のみが僅かにオーバーラップした状態になるようにフック孔を選択してフックを係合すると戸が閉じた状態になり、引き戸と周縁の壁や柱等の枠の間には隙間がなく、指が挟まれることはない。
これに対し、両引き戸がほぼ完全にオーバーラップした状態になるようにフック孔を選択してフックを係合すると戸が開放された状態になり、出入りが可能になる。この状態では引き戸と周縁の枠の間に大きな隙間が存在し、しかも引き戸２枚が一体化されているため、特に力の弱い園児や老人にはロックされた２枚の引き戸を移動させることは実質的に不可能で、引き戸と周縁の枠の間に指を挟む危険がなくなる。
【００１０】
第３発明は、指挟み防止機能を有し、１対の扉を観音開き可能に基部に連結した比較的大型のドア装置を対象とする。この装置は建物の玄関などに設置され、観音開きの扉は大型のヒンジ等により玄関等の基部に連結され、閉止時には前記扉と前記扉間には実質的に隙間は存在しないが開放時には大きな隙間が生じる。開放時にこの隙間に指を入れ、この状態で観音開きの大型の扉が閉止すると、前記隙間に存在する指が前記基部と前記扉に挟まれて大怪我をすることがある。
【００１１】
前記大型の観音開きの扉には、通常その上縁側に空間（孔）が存在する。第３発明では、観音開き状に開放された１対の扉の前記空間を利用して扉の閉止防止手段を講じることにより、前記隙間への指挟みを防止する。つまり長さが前記１対の扉の間の距離より長い連結杆の両端をそれぞれ下向きに折り曲げて、折り曲げ後の連結杆の長さが前記１対の扉の距離と実質的に等しくなるようにすることが望ましい。そして前記両下向き折り曲げ部を前記両空間に係合する。これにより両扉の位置関係が前記連結杆により固定されるため、観音開きの両扉に内向きの力が加えられても扉が閉止することはなく前記隙間に指を入れても扉に挟まれることが防止される。又連結杆の両端は折り曲げにより下向き成形されるだけでなく、杆の両端に下向きに連結片を溶接等で連接しても良い。
【００１２】
第４発明は、大型の門扉の開放防止装置である。園児にとって庭などは建物内よりは危険であっても敷地外と比べればかなり安全である。したがって敷地内と敷地外を区切る門扉を確実に閉止しておくことは園児等の安全にとって大きな保証となる。
門柱に横向き突起を形成し、この突起に、片開き式門扉の回転側（先端側）上縁に形成した補助キーを回転自在に係止しておくと、園児は門扉の上縁にまで手が届かないため、園児のみで敷地外に出ることができず、園児の安全が確保できる。
【発明の効果】
【００１３】
このように本発明は、特に園児、老人あるいは要介護者といった弱者の安全を確保するための装置で、比較的簡単な構成により指挟み防止又は指挟み時の安全確保を確実に実行できる。
【発明を実施するための最良の形態】
【００１４】
次に本発明に係る指挟み防止又は安全機能を有する装置の例を添付図面に基づいて説明するが、これは本発明を限定するものではない。
図１から３は、第１発明の指挟み時の安全機能を有する開き戸タイプのドア装置に関し、図１はその実施例を示す概略図、図２は図１のＡ−Ａ線横断面図、図３は指を挟んだ際の図２に相当する拡大横断面図である。
【００１５】
長方形面を有する開き戸１は両側の壁２、３の間に設置され、図示の例では上下１対のヒンジ４により、右後部が右側の壁３の遠い側の角部に保持され、この部分を中心に図２の矢印で示すように開閉可能にされている。この開き戸１の上部中央には強化透明ガラス製の窓５が嵌め込まれ、左側ほぼ中央にはノブ６が装着されている。なお当該ノブ６は図示の位置より高く装着して園児の手が届かないようにしても良い。
前記開き戸１の左右両側面のうち、左側面には前記ノブ６に付属する１対の着脱片７の位置する個所を除いた上下方向の全長に切り欠き８が形成されている。この切り欠き８の開き戸１側の平面部には、反対面に湾曲部９を有するほぼ角筒状の例えばクロロプレン製の中空弾性体１０が接着等で固定されている。
同様に前記開き戸１の右側面の前記ヒンジ４の位置する個所を除いた上下方向の全長に切り欠き８が形成されている。この切り欠き８にも同様に中空弾性体１０が接着等で固定されている。
【００１６】
図１及び２の開き戸１の閉止状態では、開き戸１の中空弾性体１０が左右２、３の壁に接触して冷気や熱気の遮断等の通常の開き戸と同様の機能を果たす。
次いで人が通過する際には図２に矢印で示すように開き戸１を開け、当該開き戸１と左側の壁２の間に大きな隙間が生じ、更に開き戸１の基端部と右側の壁３の間にも小さい隙間が生じる。
この開放時に園児等がこの隙間、例えば開き戸１と左側の壁２の間に指１１を入れ、そのまま開き戸１を閉止すると、図３に示すように指１１が中空弾性体１０と右側の壁２の間に挟まれるが、前記中空弾性体１０が変形して指１１に掛かる衝撃を緩和して挟まれた指の怪我を防止する。
【００１７】
図４ａは観音開きドアの閉止状態（点線）と開放状態(実線)を示す概略平面図、図４ｂは図４ａの開閉機構を有するドアの例を示す正面図、図５は第３発明の指挟み防止機能を有する観音開きタイプの大型のドア装置を示す一部破断斜視図である。
通常観音開きタイプの１対の大型ドア（扉）２１は図４ａ及び４ｂに示すように、その基端下部近傍が、地面やフロアに埋設されたフロアヒンジ２２のピボット２３に係合されて保持されるとともに、ピボット２３を中心に回転可能にされ、更にそれぞれの上部はトップセンター２４で支持されている。
図４ａの閉止時には両ドア２１の基端側の縦方向面は僅かな隙間で、上下２枚のガラス２５を嵌め殺しにした基部の縦枠２６に近接している。一方前記ドア２１を前ピボット２３を中心に９０°回転させ他方のドアとともに観音開きにすると、図４ａに実線で示す通り、基部の縦枠２６とドア２１の間に４０〜５０ｍｍ程度の隙間２７が生じる。この状態で当該隙間２７に指等を入れたままドア２１を閉止すると、指がドア２１と縦枠２６の間に挟まれて傷を負ったり、場合によっては骨折することもある。
【００１８】
従って図５に示すように、本実施例では、観音開きにした１対の大型ドア２１の上面先端（開放端）に形成されたそれぞれの凹部（孔）２８間にステンレス等から成る連結杆２９を架け渡している。この連結杆２９は、両端をそれぞれ下向きに折り曲げて係合片３０を形成してあり、この係合片３０を前記ドア２１上面の凹部２８に係合させてある。これにより、前記１対のドア２１の両方又は一方に内向きの力が加わっても前記連結杆２９により当該内向きの力が阻止されてドア２１は開放の位置に保持され、従って図４ａの隙間２７もそのまま維持され、この隙間２７に指を入れていてもドア２１が閉まることがなく、園児等の指の損傷や骨折を防止できる。なお前記係合片は連結杆の両端に下向きに溶接等で形成しても良い。
【００１９】
図６は、第４発明の門扉の開放防止装置の実施例を示す要部拡大図、図７は図６の補助キーを降ろした状態を示す横断面である。
図６及び図７は、特に保育園や幼稚園あるいは介護施設等の施設内と施設外の境界に設置される門扉３１と門柱３２の上縁部のみを例示するもので、この門扉３１の上下方向の中央部には図示を省略したメインキーが装着され、前記門柱３２の上下方向の中央部には前記メインキーが係合される係合部が形成されている。
【００２０】
この門扉３１の通常時における開閉は、前記メインキーを前記係合部へ着脱することで行われ、保育園等の職員や成人の来園者の通行時の門扉の開閉は前記メインキーの使用のみで十分である。
しかし保育園では多数の園児が保育され、この門扉の外に交通量の多い幹線道路や鉄道の遮断機がある場合などに、前記門扉を開放していると園児が無意識に施設外に歩き出して予期できない事故が起こる可能性がある。本実施例の門扉の開放防止装置はこのような問題点を解消するものである。
【００２１】
門扉３１の門柱３２に向かう側の上縁部に、回転軸３３が前記門扉３１を貫通して設けられている。この回転軸３３の前後両端には、前記門扉３１表面に近接しながら前記門柱３２に向かい、内向きに９０°折り曲げられた後、再度門柱３２側に向かうよう成形された（図７参照）補助片３４が回転自在に固定され、両補助片３４により補助キー３５が構成されている。
門柱３２の門扉３１側の面の前記補助キー３５に対応する個所には、門扉３２に向かって突出する係止片（横向き突起）３６が固着されている。
【００２２】
保育園等の開園前や閉園後の職員や園児が通行する際は、前記補助キー３５を上げて図６に示す状態にする。この時間帯は園児も通行するが、殆どの場合職員や家族が一緒であるため余り危険はない。しかし保護者が付き添っている場合でも、園児は予測できない行動をとることがあり、職員や園児が通行する際にのみ前記補助キー３５を上げて図６に示す状態にして門扉を開閉可能にし、それ以外は図７に示すように補助キー３５を降ろして門柱３２の係止片３６に係止しておくことが望ましい。
一方保育の時間帯には図７に示すように補助キー３５を降ろして門柱３２の係止片３６に係止しておく。保育の時間帯には門扉３１の周辺には成人が居ないことが多く、園児が前記した低い位置にあるメインキーを外してしまう可能性がある。しかしメインキーが外されても、図示の補助キー３５が高い位置にある係止片３６に係止されており、メインキーを外した園児といえどもこの補助キー３５には手が届かないため門扉を開放できず、従って施設外には出られず、園児の安全が確保される。  
【００２３】
図８は第２発明の引き戸（引き違い戸）の開いた状態を示す正面図、図９はその一部破断横断面図、図１０ａ、ｂ及びｃはその内締り錠のフックがフック孔に係合する態様を順に示す概略側面、図１１は前記引き違い戸の閉じた状態を示す正面図、図１２はその一部破断横断面図である。
例えば保育室や教室と廊下を隔てる開口枠４１内に保持された１対の引き戸４２、４３の両端面には、第１発明で開示した中空弾性体と実質的に同じ中空弾性体４４が付設されている。
【００２４】
手前側の引き戸４３の左端近傍には内締り錠４５が貫通し、その先端には内締り錠のフック４６が回転可能に軸支され、その基部側には上下動できるレバー４７が設置されている。他方側の引き戸４２の前記フック４６と同じ高さの左右両端面近傍には前記フック４６が係合する平面視Ｔ字状の１対のフック孔４８が形成されている。
図８の引き戸４２、４３が互いに閉じた状態では、手前側の引き戸４３の前記フック４６を向こう側の引き戸４２の右側のフック孔４８に係合させておく。つまり図１０ａに示すように、最上位に位置するレバー４７を指４９で押し下げると、前記フック４６が下向きに回転して図１０ｂの中間位置を経て図１０ｃのように合計で９０°回転してフック孔４８に確実に係合し、レバー４７は最下位の位置に達する。この状態では比較的高い位置に設置された内締り錠４５に園児の手が届かず、指挟み等の事故は起きない。
【００２５】
次いでこの引き違い戸を開く際には、前記したレバー４７を上方に引き上げると、前記フック４６がフック孔４８から外れ、両引き戸４２、４３が自由に走行でき、例えば手前の引き戸４３を左向きに移動させると、図１１の状態になる。この状態では各引き戸４２、４３は単独で走行可能なため、園児等の弱い力でも移動可能で図１１の状態から園児がいずれかの引き戸４２、４３を右方向に移動させると、その引き戸と右側の枠４１の間に指を挟むことがある。
これを防ぐためには、図１１の状態で、前記フック４６を左側のフック孔４８に係合させておく。これにより引き戸４２、４３は両者一体としてしか移動できなくなり、園児の弱い力では引き戸２枚を移動させることはできず、指挟みが防止できる。なお本実施例で各引き戸４２、４３の両側面に中空弾性体４４を付設してあるため、二重に指挟みが防止できる。
【図面の簡単な説明】
【００２６】
【図１】第１発明の指挟み時の安全機能を有する開き戸タイプのドア装置の実施例を示す概略図。
【図２】図１のＡ−Ａ線横断面図。
【図３】指を挟んだ際の図２に相当する拡大横断面図。
【図４】図４ａは観音開きドアの閉止状態（点線）と開放状態(実線)を示す概略平面図、図４ｂは図４ａの開閉機構を有するドアの例を示す正面図。
【図５】第３発明の指挟み防止機能を有する観音開きタイプのドア装置を示す一部破断斜視図。
【図６】第４発明の門扉の開放防止装置の実施例を示す要部拡大図。
【図７】図６の補助キーを降ろした状態を示す横断面。
【図８】第２発明の引き違い戸の開いた状態を示す正面図。
【図９】図８の一部破断横断面図。
【図１０】図１０ａ、ｂ及びｃはその内締り錠のフックがフック孔に係合する態様を順に示す概略側面図。
【図１１】図８の引き違い戸の閉じた状態を示す正面図。
【図１２】図１１の一部破断横断面図。
【符号の説明】
【００２７】
１……開き戸  ２、３……壁  ４……ヒンジ  ８……切り欠き  １０……中空弾性体  
１１……指  ２１……ドア  ２２……フロアヒンジ  ２３……ピボット  ２４トップセンター  ２６……縦枠  ２７……隙間  ２８……凹部（孔）  ２９……連結杆  ３０……係合片  ３１……門扉  ３２……門柱  ３４……補助片  ３５……補助キー  ３６……係止片  ４２、４３……引き戸  ４４……中空弾性体  ４５……内締り錠  ４６……フック  ４７……レバー  ４８……フック孔  ４９……指
【図１】
2007063776.tif 000003
【図２】
2007063776.tif 000004
【図３】
2007063776.tif 000005
【図４】
2007063776.tif 000006
【図５】
2007063776.tif 000007
【図６】
2007063776.tif 000008
【図７】
2007063776.tif 000009
【図８】
2007063776.tif 000010
【図９】
2007063776.tif 000011
【図１０】
2007063776.tif 000012
【図１１】
2007063776.tif 000013
【図１２】
2007063776.tif 000014